(57)【要約】  【課題】  光ファイバを収納する光ファイバフェルールと光ケーブルのテンションメンバとを保持するテンションメンバ−保持機構とが別々の部品で形成されていたため、両者間で光ファイバの機械的応力を吸収するために光ファイバを撓ませて置く必要があり、この結果、このための空間を確保する必要があり、光コネクタの形状が大型となる課題があった。  【解決手段】  光ファイバフェルールの後端側に光ケーブルの被覆層を含めて装着・固定する光ケーブル装着部を形成したことを特徴とする。これによって光ファイバを撓ませる必要が無くなり、光コネクタを小型に形成することができる。  【選択図】  図１
2005114991.tif 000002
【特許請求の範囲】
【請求項１】
光ファイバが挿通される貫通孔を有する光コネクタ用の光ファイバフェルールにおいて前記貫通孔の一端側に光ケーブルの端部を光ケーブルの被覆層を含めて装着・固定する光ケーブル装着部が形成されたことを特徴とする光ファイバフェルール。
【請求項２】
光ケーブル装着部は、光ケーブル内に有するテンションメンバーを含めて装着・固定することを特徴とする請求項１に記載の光ファイバフェルール。
【請求項３】
光ケーブル装着部は、断面コの字型の把持部材で光ファイバフェルールを形成する基材に光ケーブルを狭持させることにより形成されていることを特徴とする請求項１又は請求項２に記載の光ファイバフェルール。
【請求項４】
光ファイバ挿通孔は、表面に溝が形成された基材とその基材を覆う蓋と、基材と蓋とが合体するように狭持させる狭持部材とで形成されていることを特徴とする請求項１乃至請求項３の何れか１に記載の光ファイバフェルール。
【請求項５】
光ファイバ挿通孔は、非分割型に形成されていることを特徴とする請求項１乃至請求項３の何れか１に記載の光ファイバフェルール。
【請求項６】
一端から他端に向けて請求項１乃至請求項５に記載の光ファイバフェルールが挿入され、光ファイバフェルールを内部に収納可能な光フェルールホルダであって、光フェルールホルダの内部には係合部が形成されて挿入された光ファイバフェルールが前記他端から抜け出ないように形成され、前記一端側にバネ性を持った押圧片が取り付けられて、光ファイバフェルールの挿入後端に押圧力を与えて光ファイバフェルールを一端側に押し付けるように形成されたことを特徴とする光フェルールホルダ。
【請求項７】
貫通路を備えたコネクタハウジングの一端から請求項１乃至請求項５に記載の光ファイバフェルールを挿入し、コネクタハウジングの他端から請求項６に記載の光フェルールホルダを挿入して、コネクタハウジングの内部で一端から挿入された光ファイバフェルールの先端と他端から挿入された光フェルールホルダの光ファイバフェルールとを付き合わせて形成されたことを特徴とする光コネクタ。
【請求項８】
請求項１乃至請求項５に記載の一対の光ファイバフェルールが互いに光ファイバの端面を付き合わせて配置され、両光ファイバフェルールをフェルール押圧部材で押圧するように形成されたことを特徴とする光コネクタ。
【発明の詳細な説明】
【技術分野】
【０００１】
本発明は、光ファイバの相互を接続するための光ファイバフェルール、これを保持する光フェルールホルダ、これらを用いた光コネクタに関するものである。
【背景技術】
【０００２】
通信の多様化、大容量化に伴い、ＦＴＴＨ（Fiber To The Home）に代表される光ファイバを使用した通信が急激に普及しつつある。
これに伴って、光ファイバの現場接続工事が多数実施されることから、無電源、無研磨で組み立てられる光コネクタが要求される。
【０００３】
一般にＦＴＴＨに用いられる光ファイバケーブルは、図１７に示すように、光ファイバ心線８１の両サイドにテンションメンバー８２を配置して、これらに共通被覆シース８３を施したもので構成される。図１７(イ)に示す光ファイバケーブルは２心の光ファイバ心線８１を被覆層８４で被覆して構成された光ファイバテープ心線８５を共通被覆シース８３で被覆したもの、図１７(ロ)に示す光ファイバケーブルは２心の光ファイバ心線８１を直接共通被覆シース８３で被覆したもの、図１７(ハ)に示す光ファイバケーブルは４心の光ファイバ心線８１を被覆層８６で被覆して構成された光ファイバテープ心線８７を共通被覆シース８３で被覆したものである。光ファイバ心線の数は１心あるいはその他の本数のものが適宜使用される。
【０００４】
従来このような光ファイバを接続する光コネクタとして図１６や図１２〜１５に示されるものなどが公知である。（例えば特許文献１、特許文献２）
【０００５】
図１６に示された特許文献1に記載された光コネクタ６０は、光ファイバフェルール６１、ストップリング６２、ストップリング６２の後端部で構成された内側カシメリング６２'、外側カシメリング６３、スプリング６４、ハウジング６５、ブーツ６６、つまみ６７などで構成されている。
【０００６】
この光コネクタ６０を光ケーブル６８の端部に取りつけるには、先ず始めに光ケーブル６８の端部から光ケーブル６８の外側にブーツ６６、外側カシメリング６３、ストップリング６２、スプリング６４の各部品をこの順序で挿入して配置して置く。
【０００７】
次に光ケーブル６８の端部から共通被覆６８１を剥ぎ取り、一対のテンションメンバー６８２の端部と光ファイバ心線６８３の端部とを露出させる。
次に、光ファイバ心線６８３内の裸光ファイバ６８３’を露出させて光ファイバフェルール６１の挿通孔６１’に挿入し固定する。
次に光ファイバ心線６８３が取り付けられた光ファイバフェルール６１をハウジング６５内に配置・固定する。
【０００８】
次に、一対のテンションメンバー６８２を先端にスプリング６４が配置された内側カシメリング６２'と外側カシメリング６３との間に配置してカシメ固定する。
最後にブーツ６６とつまみ６７を所定位置に被せて光コネクタを完成させる。
【０００９】
図１２〜図１５に示される特許文献２に記載された光コネクタは、図１２に示すように、光ファイバフェルール７１と支持線留め部品７２、光ファイバフェルール７１と支持線留め部品７２とを結合する留め部品７３、これらを収納するハウジング７４、及びブーツ部品７５等で構成されている。また、光ファイバケーブル７６は、光ファイバ７６１と、この光ファイバ７６１を挟むように設けられた２本の支持線（テンションメンバー）７６２とから構成されている。
【００１０】
かかる光コネクタでは、光ファイバケーブル７６をブーツ部品７５に通し、更に留め部品７３を通してから、この光ファイバケーブル７６の２本の支持線７６２を後述する支持線留め部７２に取り付けて固定するとともに、光ファイバケーブル７６の光ファイバ７６１を支持線留め部品７２を貫通させてから、支持線留め部品７２を光ファイバフェルール７１に嵌合させ、この光ファイバフェルール７１において予め内蔵されている光ファイバ７１’と光ファイバ７６１とを突き合わせて接続する。このように２本の光ファイバ同士が接続された後、留め部品７３、被覆手段を構成するブーツ部品７５をそれぞれ被せ、更に被覆手段を構成するハウジング７４を上から被せるように取り付けることにより光コネクタとして完成する。
【００１１】
支持線留め部品７２は、図１３に内部構造が示され、図１２からもわかるように２個の支持線留め部品７２ａに分割され得るように構成されている。そして、光ファイバケーブル７６の光ファイバ７６１および支持線７６２を支持線留め部品７２に取り付けたり貫通させる作業は、支持線留め部品７２を２個に分割した片方の支持線留め部品７２ａの状態で行い、この作業の完成後に２個の支持線留め部品７２ａを突き合わせて組み立て、１個の支持線留め部品７２として完成する。なお、分割された２個の支持線留め部品７２ａは同じ構造を有している。
【００１２】
この分割された片側の支持線留め部品７２ａは、図１２に示すように、一端が留め部品７３内に挿入し易いように楕円形に形成され、他端が光ファイバフェルール部品７１に突き合わせられるように平坦に形成されている。支持線留め部品７２ａの楕円形の一端には、図１３に示すように、光ファイバ貫通孔７２３が形成され、この光ファイバ貫通孔７２３に続いて支持線留め部品７２ａの内部には２つの光ファイバ収納ガイド部７２１ａがほぼ平行して設けられ、この２つの光ファイバ収納ガイド部７２１ａの間に光ファイバ収納部７２１１が形成されている。また、この２つの光ファイバ収納ガイド部７２１ａの両方の他端であるガイド部先端７２１２ａは、外側に湾曲して形成され、光ファイバ７６１が挿入された場合に光ファイバ７６１に無理な曲がりが生じないようになっている。この湾曲したガイド部先端７２１２ａの近傍には支持線留め部７２２が２本立設されている。
【００１３】
更に、支持線留め部品７２ａの楕円形の一端に形成されている光ファイバ貫通孔７２３の両側には支持線貫通孔７２４がそれぞれ形成されているが、この２個の支持線貫通孔７２４には光ファイバケーブル７６の２本の支持線７６２が図１４（ａ）に示すように貫通し、この貫通した２本の支持線７６２は図１４（ｂ）に示すようにそれぞれ２個の支持線留め部７２２に巻回などして固定されるようになっている。
【００１４】
また、支持線留め部品７２ａの平坦な他端にも図１３（ｃ）からわかるように光ファイバ貫通孔７２３が同様に形成され、この光ファイバ貫通孔７２３に続いて支持線留め部品７２ａの内部には２つの光ファイバ収納ガイド部７２１ｂがほぼ平行して設けられ、この２つの光ファイバ収納ガイド部７２１ｂの間に光ファイバ収納部７２１１が形成されている。なお、２つの光ファイバ収納ガイド部７２１ｂのガイド部先端７２１２ｂは光ファイバ７６１が貫通し易いように湾曲している。
【００１５】
このように構成される支持線留め部品７２ａにおいて、外部から接続するための光ファイバケーブル７６の光ファイバ７６１は、具体的にはブーツ部品７５、留め部品７３を貫通してきた光ファイバケーブル７６の光ファイバ７６１は、支持線留め部品７２を貫通し、その支持線７６２を支持線留め部品７２内で支持線留め部７２２に巻回などして固定するために、まず支持線留め部品７２２を２個の支持線留め部品７２ａに分割し、この分割された支持線留め部品７２ａの楕円形の一端の光ファイバ貫通孔７２３に光ファイバ７６１を貫通させ、支持線貫通孔７２４に支持線７６２を貫通させるように設定する。
【００１６】
それから、支持線貫通孔７２４を貫通した支持線７６２を支持線留め部７２２に巻回などして固定する。また、光ファイバ貫通孔７２３を貫通した光ファイバ７６１は光ファイバ収納ガイド部７２１ａの間の光ファイバ収納部７２１１に沿って案内されながら平坦な他端に向かって進み、この他端側に形成されている２つの光ファイバ収納ガイド部７２１ｂの間の光ファイバ収納部７２１１および光ファイバ貫通孔７２３を貫通して支持線留め部品７２ａの外部に延出する。このように光ファイバ７６１が支持線留め部品７２ａを貫通して延出してから、２つの支持線留め部品７２ａを突き合わせて１個の留め部品７２として一体化し、また支持線留め部品７２から延出した光ファイバ７６１は、光ファイバフェルール部品７１内に予め内蔵されている光ファイバと光ファイバフェルール部品７１内において突き合わせ接続されるようになっている。
【００１７】
次に、図１２に示すように、上述した如く一体化された支持線留め部品７２の上から留め部品７３を被せ、それから、留め部品７３の弾性変形可能突起７３１を光ファイバフェルール部品７１の凹部７１１に嵌合させ、これにより留め部品７３と光ファイバフェルール部品７１を合体させる。このように留め部品７３と光ファイバフェルール部品７１とは弾性変形可能突起７３１と凹部７１１とが嵌合しているため、後方に引っ張っても取り外れないようになっている。留め部品７３と光ファイバフェルール部品７１を合体させた後、留め部品７３の上にブーツ部品７５を被せるとともに、更に光ファイバフェルール部品７１上にハウジング部品７４を被せ、これにより留め部材付き簡易組立光コネクタが完成する。
【００１８】
【特許文献１】特開２００２−１６２５３７号公報
【特許文献２】特開２００３−１３９９９５号公報
【発明の開示】
【発明が解決しようとする課題】
【００１９】
しかしながら、上記特許文献１に記載された光コネクタは、光ファイバフェルールと光ケーブルのテンションメンバを固定するためのストップリングが別部品で構成され、更にこれらの間にスプリングが介在して光ファイバフェルールがテンションメンバに対して移動するため、光ファイバがストップリング内で撓むことのできるスペースが必要であり、コネクタ形状が大型となる課題があった。
【００２０】
また特許文献２に記載された光コネクタは、支持線（テンションメンバ）を固定するための支持線留め部品と光ファイバフェルールとが別部品で構成されているため、支持線留め部品の先端から突出した光ファイバが光ファイバフェルール内の光ファイバと接触させた際に光ファイバを支持線留め部品内撓ませなければならず、この結果その撓ませるためのスペースが必要であり、上記例と同様にコネクタ形状が大型となる課題があった。
【課題を解決するための手段】
【００２１】
本発明は、かかる点に鑑みなされたもので、光ファイバが挿通される貫通孔を有する光コネクタ用の光ファイバフェルールにおいて前記貫通孔の一端側に光ケーブルの端部を光ケーブルの被覆層を含めて装着・固定する光ケーブル装着部が形成されたことを特徴とする光ファイバフェルールである。
【００２２】
他の本発明は、一端から他端に向けて前記光ファイバフェルールが挿入され、光ファイバフェルールを内部に収納可能な光フェルールホルダであって、光フェルールホルダの内部には係合部が形成されて挿入された光ファイバフェルールが前記他端から抜け出ないように形成され、前記一端側にバネ性を持った押圧片が取り付けられて、光ファイバフェルールの挿入後端に押圧力を与えて光ファイバフェルールを一端側に押し付けるように形成されたことを特徴とする光フェルールホルダである。
【００２３】
更に他の本発明は、貫通路を備えたコネクタハウジングの一端から前記光ファイバフェルールを挿入し、コネクタハウジングの他端から前記光フェルールホルダを挿入して、コネクタハウジングの内部で一端から挿入された光ファイバフェルールの先端と他端から挿入された光フェルールホルダの光ファイバフェルールとを付き合わせて形成されたことを特徴とする光コネクタである。
【００２４】
更に他の本発明は、前記一対の光ファイバフェルールが互いに光ファイバの端面を付き合わせて配置され、両光ファイバフェルールをフェルール押圧部材で押圧するように形成されたことを特徴とする光コネクタである。
【発明の効果】
【００２５】
上記光ファイバフェルール、光フェルールホルダ、光コネクタは、いずれも光ファイバが挿通される貫通孔を有する光コネクタ用の光ファイバフェルールに光ケーブル装着部を形成し、光ケーブルの被覆層と光ファイバとが同時に光ファイバフェルールで保持されているため、光ファイバの先端と光ケーブルの被覆層との距離が一定となり、光ファイバを従来のように撓ませる必要がない。この結果、各製品を小型に形成できる優れた効果を有する。
【発明を実施するための最良の形態】
【００２６】
光ケーブル装着部は、光ケーブル内に有するテンションメンバーを含めて装着・固定することを特徴とする。
光ケーブル装着部は、断面コの字型の把持部材で光ファイバフェルールを形成する基材に光ケーブルを狭持させることにより形成されていることを特徴とする。
光ファイバ挿通孔は、表面に溝が形成された基材とその基材を覆う蓋と、基材と蓋とが合体するように狭持させる狭持部材とで形成されていることを特徴とする。
光ファイバ挿通孔は、非分割型に形成されていることを特徴とする。
【実施例１】
【００２７】
以下、本発明を図示した実施例に基づき説明する。
図１は本発明の一実施例における光ファイバフェルール１の構成部品を示したもので、１０は光ファイバフェルール1の基盤となるフェルールベース、２０は蓋、２５はケーブル固定アダプタ、３０は断面コの字型のスプリングである。
【００２８】
基盤１０は図２に示すように、基盤の一方側に中央に沿って断面Ｕの字型のＵ溝１１が形成され、他端側には光ケーブルの被覆層を含めて光ファイバの端部を配置させることのできるケーブル収納空間１５が形成されている。
【００２９】
蓋２０は図５(イ)に示すように、Ｕ溝１１に嵌合する凸状体２１が形成されている。
ケーブル固定アダプタ２５は、図５(ロ)に示すように、コの字型形状を成しており、上方側に２つの上方突起２６が形成され、下方に２つの下方突起２７が形成されている。
スプリング３０は図５(ハ)に示すように、断面コの字型の弾性体により形成され、その壁面には外側から内側方向に圧力を加えて内側に突起３１が形成されている。
【００３０】
Ｕ溝１１の中央には、図１に示すように、そのＵ溝１１に沿って光ファイバを配置させるためのＶ溝１２が形成され、更に前記一方側の先端には光ファイバフェルール１を相互につき合わせる際に、突き合わされるＶ溝１２が互いに軸心が一致するように配置させるための図示しない軸合わせピンを配置させるピン孔２３が形成されている。ケーブル収納空間１５の両側面に、下方側でケーブル固定アダプタ２５の下方突起２７が挿入できるアダプタ挿入孔１６が形成され、その上方側にケーブル固定アダプタ２５の上方突起２６が挿入できるアダプタ挿入溝１７が形成されている。またケーブル収納空間１５の両側面には、後述する光ファイバフェルール保持アダプタ及び光ファイバフェルールホルダと係合するための係合突起１８が形成されている。
【００３１】
このように形成された光ファイバフェルール１を光ケーブルの端部に取り付けるには、先ず始めに図４(ロ)に示すように、基盤１０に形成されたＵ溝１１に蓋２０の凸状体２１を嵌めて、両者をスプリング３０で弾性的に固定する。これにより、Ｖ溝１２はその開放側が蓋２０で覆われ光ファイバ挿通孔１２’が形成される。この形成された光ファイバ挿通孔１２'は図示しないくさびが基盤１０と蓋２０との間に挿し込まれることにより、光ファイバ挿通孔１２'の径が拡径されている。
【００３２】
更に、図３に示すように、光ケーブル５の端部の被覆層６が所定長（図示の実施例では１０ｍｍ）剥ぎ取られて光ファイバ心線７が所定長露出され、更に光ファイバ心線７上のコーティング層８が除去されている。この際、光ファイバ心線７の両サイドに配置されたテンションメンバー９は、被覆層６内に残したままとなっている。
【００３３】
このような状態で、ケーブル収納空間１５側から光ケーブル５を挿し込み、光ファイバ挿通孔１２’内に光ファイバ心線７を挿入し、その後に、前記クサビを抜取り、光ファイバ心線７を光ファイバ挿通孔１２’内に弾性的に配置させる。
【００３４】
次に、光ケーブル５の端部が収納されたケーブル収納空間１５の両サイドからケーブル固定アダプタ２５を光ケーブル５の被覆層に食い込めませるように挿し込み、光ケーブル５をケーブル収納空間１５内に固定・配置させる。これにより、光ケーブル５内に配置されたテンションメンバはケーブル収納空間１５内で強固に固定され、光ケーブル５の引張り方向に対して基盤１０が密接した位置関係になっているため、光ケーブル５の引張力に対して、基盤１０の強度で対向することが可能である。
【００３５】
なお、ケーブル固定アダプタ２５はステンレスなどの金属部品が好ましいがエポキシ系樹脂（ＰＰＳ、ＰＢＴなど）であっても良く、さらに上記実施例に置けるケーブル固定アダプタ２５はケーブル収納空間１５の両サイドから配置される場合を説明したが、ケーブル固定アダプタ２５は突起の長いものでケーブル収納空間１５の一方側から差し込まるようにしても良い。
【実施例２】
【００３６】
図６は上記光ケーブル付きの光ファイバフェルール１の接続端面を相互に接続した光コネクタを示すものである。図示の実施例は、半円形形状の押圧片４１が形成された押圧部材４０によって、両光コネクタ１の後方から両光コネクタ１の接続端面を押圧し、光接続を行っている。この際、図１及び図２に示す光ファイバフェルール１の接続端に形成されたピン孔２３には、図示しない軸合わせピンが相互に挿入され、光ファイバ心線の軸線が一致するように接続されている。押圧部材４０はバネ性のステンレス、ベリリウム銅合金などの板バネ材で形成するのが好ましい。
【実施例３】
【００３７】
図７は図４に示す光ケーブルが接続された両光ファイバフェルールを保持して光接続するための光ファイバフェルール保持アダプタ４５を、図８は図４に示す光ケーブルが接続された両光ファイバフェルールを保持して光接続するための光ファイバフェルールホルダ５０を示すもので、図９には光ファイバフェルール保持アダプタ４５と光ファイバフェルールホルダ５０とが接続された光コネクタが示されている。
【００３８】
光ファイバフェルール保持アダプタ４５は、図７に示すように、その軸心に沿って貫通路４６が形成され、光ファイバフェルール１を挿入する側の貫通路４６’が他端側に比較して大径に形成され、光ファイバフェルール１の先端が他端側から突出しないように形成されている。又、光ファイバフェルール保持アダプタ４５の側面には、図７(ロ)及び図７(ハ)に示すように、光ファイバフェルールの側面に形成された係合突起１８を収納する開口窓４７が形成され、光ファイバフェルール１を貫通路４６’に挿入した後に挿入方向の反対側に抜けでないように形成されている。また光ファイバフェルール保持アダプタ４５の上部には、光ファイバフェルールホルダ５０と係合するためのラッチアーム４８が形成されている。
【００３９】
光ファイバフェルールホルダ５０は、図８特に図８(ハ)に示すように、その軸心に沿って貫通路５１が形成され、貫通路５１の一端側には光ファイバフェルール１を内部に収納可能なフェルール収納路５１’が形成され、他端側には光ファイバフェルール保持アダプタ４５を収納可能なアダプタ収納路５１''が形成されている。光ファイバフェルールホルダ５０の内部には係合部５２が形成されて挿入された光ファイバフェルール１が前記他端側に抜け出ないように形成されている。
【００４０】
光ファイバフェルール１の収納側には、光ファイバフェルール１の後方側から光ファイバフェルールホルダ５０の内部に光ファイバフェルール１を押し込むバネ性を持った押圧片５３が備えられている。この押圧片５３は、光ファイバフェルールホルダ５０の両側面に形成され係合突起５４に押圧片５３の側面に形成された係合孔５３’が嵌め込まれて、押圧片５３が係合孔５３’を中心にして回転できるようになっており、押圧片５３の先端に形成された光ファイバフェルール押圧部５３''がフェルール収納路５１’を一部塞いだり開放したりできるようになっている（図示の状態はフェルール収納路５１’を一部塞いだ状態を示している）。
【００４１】
また光ファイバフェルールホルダ５０の両側面には前記係合突起５４のやや下方に係止突起５５が形成され、また、押圧片５３のやや端部側には係止孔５３'''が形成され、この係止突起５５に係止孔５３'''が嵌め込まれることにより、図示のように光ファイバフェルール押圧部５３''が光ファイバフェルール１を押圧している間、押圧片５３が回動しないようになっている。
【００４２】
アダプタ収納路５１''側の上部には、光ファイバフェルール保持アダプタ４５に形成されたラッチアーム４８と係合する開放窓５６が形成され、光ファイバフェルール保持アダプタ４５がアダプタ収納路５１''に収納されたときに光ファイバフェルール保持アダプタ４５がアダプタ収納路５１''から抜け出ないようになっている。
【００４３】
図９には光ファイバフェルール保持アダプタ４５と光ファイバフェルールホルダ５０とが接続された光コネクタが示されており、この際、図１及び図２に示す光ファイバフェルール１の接続端に形成されたピン孔２３には、図示しない軸合わせピンが相互に挿入され、光ファイバ心線の軸線が一致するように接続されている。
【実施例４】
【００４４】
図１０は、光ファイバフェルール１の他の実施例を示すもので、図１〜図２に図示した実施例に比較して光ファイバフェルール１の接続端側に光ファイバ５７が内蔵された別体の光ファイバフェルール５８が形成されたものを示している。
【００４５】
この図１０に示す光ファイバフェルール１に光ファイバケーブルを接続するには、図３に示すように光ケーブル５から所定長の光ファイバ心線７を剥ぎ出しておき、予め１０と蓋２０との間に図示しないくさびで光ファイバ心線が通る間隔に広げて置いた所に光ファイバ心線７を挿入し、光ファイバ心線７の先端を前記光ファイバ５７の後端に突き当てた後にクサビを抜き取る。これにより光ファイバ心線７と光ファイバ５７とが光学的に接続される。光ケーブル５と光ファイバフェルール１との機械的な接続は、図１〜図２の場合と同様にして行われる。
【実施例５】
【００４６】
図１１は更に他の本発明の光ファイバフェルールを示すものであり、図１、図２の光ファイバフェルール１に比較して接続端部部分に予め非分解型の光ファイバ挿通孔５９が形成されている点が異なっている。光ファイバ挿通孔は光ファイバ心線7の外径１２５μｍよりも若干大きな例えば１２６μｍφ程度の大きさに構成される。
【図面の簡単な説明】
【００４７】
【図１】本発明の光ファイバフェルールの一実施例を示す構成図。
【図２】本発明の上記一実施例を示すもので、イは平面図、ロは左側面図、ハは正面説明図。
【図３】本発明の実施例で使用される光ケーブルの端部構造を示す説明図。
【図４】本発明の上記実施例に光ファイバケーブルが接続されたもので、イは平面図、ロは側面図、ハは正面図。
【図５】イ、ロ、ハはそれぞれ異なる本発明一実施例の構成部品の斜視図。
【図６】本発明の一実施例におけるコネクタを示す正面図。
【図７】本発明の一実施例における光ファイバフェルール保持アダプタを示すもので、イは平面図、ロは正面図、ハは一部断面正面図。
【図８】本発明の一実施例における図光ファイバフェルールホルダを示すもので、イは平面図、ロは正面図、ハは一部断面正面図。
【図９】本発明の他の実施例におけるコネクタを示す正面図。
【図１０】本発明の他の実施例における光ファイバフェルールを示す説明図。
【図１１】本発明の更に他の実施例における光ファイバフェルールを示す説明図。
【図１２】従来の一例を示す分解斜視図。
【図１３】図１２の要部構成説明図。
【図１４】図１２の要部構成説明図。
【図１５】図１２の要部構成説明図。
【図１６】従来のさらに他の例を示す断面図。
【図１７】一般的な光ケーブルの３例を示す端面図。
【符号の説明】
【００４８】
１    光ファイバフェルール
５    光ケーブル
６    被覆層
７    光ファイバ心線
８    コーティング層
９    テンションメンバー
１０    基盤
１１    Ｕ溝
１２    Ｖ溝
１２’    光ファイバ挿通孔
１５    ケーブル収納空間
１６    アダプタ挿入孔
１７    アダプタ挿入溝
１８    係合突起
２０    蓋
２１    凸状体
２３    ピン孔
２５    ケーブル固定アダプタ
２６    上方突起
２７    下方突起
３０    スプリング
３１    突起
４０    押圧部材
４１    押圧片
４５    光ファイバフェルール保持アダプタ
４６    貫通路
４７    開口窓
４８    ラッチアーム
５０    光ファイバフェルールホルダ
５１    貫通路
５１'    フェルール収納路
５１''    アダプタ収納路
５２    係合部
５３    押圧片
５３’    係合孔
５３''    光ファイバフェルール押圧部
５３'''    係止孔
５４    係合突起
５５    係止突起
５６    開放窓
５７    光ファイバ
５８    光ファイバフェルール
５９    光ファイバ挿通孔
【図１】
2005114991.tif 000003
【図２】
2005114991.tif 000004
【図３】
2005114991.tif 000005
【図４】
2005114991.tif 000006
【図５】
2005114991.tif 000007
【図６】
2005114991.tif 000008
【図７】
2005114991.tif 000009
【図８】
2005114991.tif 000010
【図９】
2005114991.tif 000011
【図１０】
2005114991.tif 000012
【図１１】
2005114991.tif 000013
【図１２】
2005114991.tif 000014
【図１３】
2005114991.tif 000015
【図１４】
2005114991.tif 000016
【図１５】
2005114991.tif 000017
【図１６】
2005114991.tif 000018
【図１７】
2005114991.tif 000019